(57)【要約】【課題】  薬剤の使い切りや変更等への対応に好適な眼用装着物を提供する。【解決手段】  薬剤供給補助具１０は、薬剤４０の長さよりも短い間隔で２本のスリット１６ａ、１６ｂが縦方向に並行に形成され、スリット１６ａ、１６ｂを通じて、スリット１６ａを挟んでスリット１６ｂとは反対側の面（前面）と、スリット１６ａ、１６ｂの間の面（後面）と、スリット１６ｂを挟んでスリット１６ａとは反対側の面（前面）との間で薬剤４０が挟持可能となっている。【選択図】  図２
2019204035.tif 000002
【特許請求の範囲】
【請求項１】
眼に装着可能な眼用装着物であって、
眼に面する面にスリットが形成され、
前記スリットを通じて、前記スリットを挟んで一方の側の面と他方の側の面との間で被挟持物が挟持可能となっていることを特徴とする眼用装着物。
【請求項２】
請求項１において、
前記スリットは、前記被挟持物の長さよりも短い間隔で形成された第１スリット及び第２スリットであり、
前記第１スリット及び前記第２スリットを通じて、前記第１スリットを挟んで前記第２スリットとは反対側の面と、前記第１スリット及び前記第２スリットの間の面と、前記第２スリットを挟んで前記第１スリットとは反対側の面との間で前記被挟持物が挟持可能となっていることを特徴とする眼用装着物。
【請求項３】
請求項２において、
前記第１スリット及び前記第２スリットからなる対のスリットが複数形成され、
複数の前記対のスリットを通じて１つの前記被挟持物が挟持可能となっていることを特徴とする眼用装着物。
【請求項４】
請求項２において、
１つの前記被挟持物を通過可能な前記第１スリット及び前記第２スリットからなる対のスリットが複数形成されていることを特徴とする眼用装着物。
【請求項５】
請求項１において、
眼に面する面を貫通する孔が形成され、
前記孔及び前記スリットを通じて、前記スリット及び前記孔の間の面と、前記スリットを挟んで前記孔とは反対側の面との間で前記被挟持物が挟持可能となっていることを特徴とする眼用装着物。
【請求項６】
請求項５において、
前記スリットは、前記孔を跨いで前記被挟持物の長さよりも短い間隔で形成された第１スリット及び第２スリットであり、
前記第１スリット、前記孔及び前記第２スリットを通じて、前記第１スリットを挟んで前記孔とは反対側の面と、前記第１スリット及び前記孔の間の面と、前記第２スリットを挟んで前記孔とは反対側の面と、前記第２スリット及び前記孔の間の面との間で前記被挟持物が挟持可能となっていることを特徴とする眼用装着物。
【請求項７】
請求項１乃至６のいずれか１項において、
前記被挟持物は、薬剤、光学デバイス又は電子デバイスであることを特徴とする眼用装着物。
【請求項８】
請求項１乃至６のいずれか１項において、
前記被挟持物は、他の眼用装着物を眼に装着するための眼用アダプタであることを特徴とする眼用装着物。
【発明の詳細な説明】
【技術分野】
【０００１】
本発明は、眼用装着物に係り、特に、薬剤の使い切りや変更等への対応に好適な眼用装着物に関する。
【背景技術】
【０００２】
従来、例えば、特許文献１記載の眼用デバイスが知られている。特許文献１記載の眼用デバイスは、コンタクトレンズ型に成形された電子デバイスであって、使用者の眼に装着して装用されるものである。
【０００３】
また、例えば、特許文献２記載のコンタクトレンズも知られている。特許文献２記載のコンタクトレンズは、原料樹脂内に薬剤を混入したコンタクトレンズであって、装用すると眼に薬用効果を与えるものである。
【先行技術文献】
【特許文献】
【０００４】
【特許文献１】特開２０１７−１９８９８４号公報
【特許文献２】特公昭４８−９９９１号公報
【発明の概要】
【発明が解決しようとする課題】
【０００５】
しかしながら、特許文献１記載の眼用デバイスにあっては、装着面が破損した場合は、安全面から眼用デバイス全体を交換しなければならない。また、装着面が汚損した場合も、衛生面から眼用デバイス全体を交換しなければならない。すなわち、高価な眼用デバイスが、電子的な機能が損なわれていないのに安全面や衛生面等の事情により交換を余儀なくされることがある。
【０００６】
また、特許文献２記載のコンタクトレンズにあっても同様に、薬剤を使い切った場合は、コンタクトレンズとしての光学的な機能が損なわれていないのに交換を余儀なくされることがある。また、他の薬剤を用いたい場合も、他の薬剤を混入した新たなコンタクトレンズを用意しなければならない。
【０００７】
そこで、本発明は、このような従来の技術の有する未解決の課題に着目してなされたものであって、薬剤の使い切りや変更等への対応に好適な眼用装着物を提供することを目的としている。
【課題を解決するための手段】
【０００８】
〔発明１〕  上記目的を達成するために、発明１の眼用装着物は、眼に装着可能な眼用装着物であって、眼に面する面にスリットが形成され、前記スリットを通じて、前記スリットを挟んで一方の側の面と他方の側の面との間で被挟持物が挟持可能となっている。
【０００９】
このような構成であれば、被挟持物をスリットに通すと、スリットを挟んで一方の側の面と他方の側の面との間で被挟持物が挟持される。
【００１０】
ここで、眼用装着物を眼に装着する態様としては、眼用装着物を眼に直接装着すること、眼との間に１又は複数の媒体（例えば、部材）を介在させて眼用装着物を眼に間接的に装着することが含まれる。
【００１１】
また、眼用装着物は、人又は動物の眼球に装着可能なものとして、より具体的には、眼球に形状適合性を有する曲面状又は眼球の表面形状に沿った球面形状のものとして構成することができる。
【００１２】
また、被挟持物としては、例えば、眼用デバイス、薬剤、サプリメント、矯正具及び磁性流体が含まれる。眼用デバイスとしては、例えば、（１）眼に対し情報の提供を行うデバイス、（２）眼に関する情報の収集を行うデバイス、（３）眼の外側に対し情報の提供を行うデバイス、（４）眼の外側に関する情報の収集を行うデバイス、（５）眼に対し機能の維持、回復若しくは付与又は作用を行うデバイス、及び（６）眼の外側に対し機能の付与又は作用を行うデバイスが含まれる。これらのうち（３）の機能としては、例えば、認証装置等に対し認証情報を投影する機能が挙げられる。また、眼用デバイスとしては、例えば、（１）光学デバイス（例えば、レンズ、光ファイバー、光導波路、光アイソレータ、半導体レーザ）、及び（２）電子デバイス（例えば、カメラ、投影機、センサ）が含まれる。
【００１３】
また、眼用装着物としては、例えば、眼用デバイス、薬剤供給補助具、矯正具、薬剤、サプリメント及び磁性流体が含まれる。
【００１４】
〔発明２〕  さらに、発明２の眼用装着物は、発明１の眼用装着物において、前記スリットは、前記被挟持物の長さよりも短い間隔で形成された第１スリット及び第２スリットであり、前記第１スリット及び前記第２スリットを通じて、前記第１スリットを挟んで前記第２スリットとは反対側の面と、前記第１スリット及び前記第２スリットの間の面と、前記第２スリットを挟んで前記第１スリットとは反対側の面との間で前記被挟持物が挟持可能となっている。
【００１５】
このような構成であれば、被挟持物を第１スリット及び第２スリットに通すと、第１スリットを挟んで第２スリットとは反対側の面と、第１スリット及び第２スリットの間の面と、第２スリットを挟んで第１スリットとは反対側の面との間で被挟持物が挟持される。
【００１６】
〔発明３〕  さらに、発明３の眼用装着物は、発明２の眼用装着物において、前記第１スリット及び前記第２スリットからなる対のスリットが複数形成され、複数の前記対のスリットを通じて１つの前記被挟持物が挟持可能となっている。
【００１７】
このような構成であれば、１つの被挟持物を複数の対のスリットに通すと、被挟持物が複数の箇所で挟持される。
【００１８】
〔発明４〕  さらに、発明４の眼用装着物は、発明２の眼用装着物において、１つの前記被挟持物を通過可能な前記第１スリット及び前記第２スリットからなる対のスリットが複数形成されている。
【００１９】
このような構成であれば、被挟持物を対のスリットのそれぞれに通すと、複数の被挟持物が挟持される。
【００２０】
〔発明５〕  さらに、発明５の眼用装着物は、発明１の眼用装着物において、眼に面する面を貫通する孔が形成され、前記孔及び前記スリットを通じて、前記スリット及び前記孔の間の面と、前記スリットを挟んで前記孔とは反対側の面との間で前記被挟持物が挟持可能となっている。
【００２１】
このような構成であれば、被挟持物を孔及びスリットに通すと、スリット及び孔の間の面と、スリットを挟んで孔とは反対側の面との間で被挟持物が挟持される。
【００２２】
〔発明６〕  さらに、発明６の眼用装着物は、発明５の眼用装着物において、前記スリットは、前記孔を跨いで前記被挟持物の長さよりも短い間隔で形成された第１スリット及び第２スリットであり、前記第１スリット、前記孔及び前記第２スリットを通じて、前記第１スリットを挟んで前記孔とは反対側の面と、前記第１スリット及び前記孔の間の面と、前記第２スリットを挟んで前記孔とは反対側の面と、前記第２スリット及び前記孔の間の面との間で前記被挟持物が挟持可能となっている。
【００２３】
このような構成であれば、被挟持物を第１スリット、孔及び第２スリットに通すと、第１スリットを挟んで孔とは反対側の面と、第１スリット及び孔の間の面と、第２スリットを挟んで孔とは反対側の面と、第２スリット及び孔の間の面との間で被挟持物が挟持される。
【００２４】
〔発明７〕  さらに、発明７の眼用装着物は、発明１乃至６のいずれか１の眼用装着物において、前記被挟持物は、薬剤、光学デバイス又は電子デバイスである。
【００２５】
〔発明８〕  さらに、発明８の眼用装着物は、発明１乃至６のいずれか１の眼用装着物において、前記被挟持物は、他の眼用装着物を眼に装着するための眼用アダプタである。
【発明の効果】
【００２６】
以上説明したように、発明１の眼用装着物によれば、スリットを通じて面の間で被挟持物が挟持されるので、被挟持物と眼用装着物との組み合わせを選択又は変更等することができる。したがって、従来の一体成形のものに比して、薬剤の使い切りや変更等への対応が容易となる。
【００２７】
さらに、発明２の眼用装着物によれば、被挟持物が第１スリットを介して前面から後面に通じ、第２スリットを介して後面から再び前面に通じるので、被挟持物の突部等が眼に干渉する可能性又は度合いを低減することができる。また、少なくとも３つの面で被挟持物が挟持されるので、被挟持物が眼用装着物から脱落しにくい。
【００２８】
さらに、発明３の眼用装着物によれば、被挟持物が複数の箇所で挟持されるので、被挟持物が眼用装着物から脱落しにくい。
【００２９】
さらに、発明４の眼用装着物によれば、対のスリットのそれぞれを通じて複数の挟持物を挟持することができる。
【００３０】
さらに、発明５の眼用装着物によれば、被挟持物が孔を介して前面から後面に通じ、スリットを介して後面から再び前面に通じるので、被挟持物の突部等が眼に干渉する可能性又は度合いを低減することができる。
【００３１】
さらに、発明６の眼用装着物によれば、被挟持物の一部が孔を介して前面から後面に通じ、第１スリットを介して後面から再び前面に通じるとともに、被挟持物の他の一部が孔を介して前面から後面に通じ、第２スリットを介して後面から再び前面に通じるので、被挟持物の突部等が眼に干渉する可能性又は度合いを低減することができる。また、少なくとも４つの面で被挟持物が挟持されるので、被挟持物が眼用装着物から脱落しにくい。
【００３２】
さらに、発明７の眼用装着物によれば、薬剤、光学デバイス又は電子デバイスを眼に装着するための眼用装着物として利用することができる。
【００３３】
さらに、発明８の眼用装着物によれば、他の眼用装着物を眼に装着するための眼用装着物として利用することができる。
【図面の簡単な説明】
【００３４】
【図１】薬剤供給補助具１０の外観形状を示す図であり、（ａ）は薬剤供給補助具１０の正面図、（ｂ）は正面からみた薬剤供給補助具１０の斜視図、（ｃ）は薬剤供給補助具１０の側面図である。
【図２】薬剤４０の装着方法を説明するための図であり、（ａ）は眼２０の正面図、（ｂ）は眼２０の縦断面図である。
【図３】薬剤供給補助具１０の正面図であり、（ａ）は薬剤４０の装着前の正面図、（ｂ）は薬剤４０の装着時の正面図である。
【図４】正面からみた薬剤供給補助具１０の斜視図であり、（ａ）は分解斜視図、（ｂ）はレンズ３０の装着時の斜視図である。
【図５】薬剤供給補助具１０の正面図であり、（ａ）は薬剤４０の装着前の正面図、（ｂ）は薬剤４０の装着時の正面図である。
【図６】正面からみた薬剤供給補助具１０の斜視図であり、（ａ）は分解斜視図、（ｂ）は眼用アダプタ５０の装着時の斜視図である。
【図７】薬剤供給補助具１０の正面図であり、（ａ）はレンズ３０の装着前の正面図、（ｂ）はレンズ３０の装着時の正面図である。
【図８】正面からみた薬剤供給補助具１０の斜視図であり、（ａ）は分解斜視図、（ｂ）はレンズ３０の装着時の斜視図である。
【発明を実施するための形態】
【００３５】
以下、本発明の実施の形態を説明する。図１及び図２は、本実施の形態を示す図である。
【００３６】
まず、本実施の形態の構成を説明する。
図１は、薬剤供給補助具１０の外観形状を示す図であり、（ａ）は薬剤供給補助具１０の正面図、（ｂ）は正面からみた薬剤供給補助具１０の斜視図、（ｃ）は薬剤供給補助具１０の側面図である。
【００３７】
薬剤供給補助具１０は、ソフトコンタクトレンズと同一の材質で構成されている。薬剤供給補助具１０は、図１に示すように、公知のソフトコンタクトレンズと同様に眼球の表面形状に沿った球面形状であり、全体として球殻形状となっている。その後面は、眼球の表面にフィットするように眼球の表面と同一又は近い曲率となる球面形状となっている。また、平面形状が全体として円形状となっている。公知のソフトコンタクトレンズと異なる点の一つはサイズが大きい点であり、装着時に眼瞼裏側の深部にまで及ぶ領域を有している。
【００３８】
薬剤供給補助具１０の上部には、２本のスリット１６ａ、１６ｂが縦方向に並行に形成されている。スリット１６ａ、１６ｂは、薬剤供給補助具１０の面を前後に貫通し、後述する薬剤４０の長さよりも短い間隔で且つ薬剤４０を通過可能な長さに形成されている。
【００３９】
次に、本実施の形態の動作を説明する。
図２は、薬剤４０の装着方法を説明するための図であり、（ａ）は眼２０の正面図、（ｂ）は眼２０の縦断面図である。図２（ａ）中、点線で示す最外円は結膜の外縁を示している。
【００４０】
使用者は、まず、図２に示すように、棒状の薬剤４０をスリット１６ａ、１６ｂに通すと、スリット１６ａを挟んでスリット１６ｂとは反対側の面（前面）と、スリット１６ａ、１６ｂの間の面（後面）と、スリット１６ｂを挟んでスリット１６ａとは反対側の面（前面）との間で薬剤４０が挟持されて装着される。次に、使用者は、薬剤供給補助具１０を装着する。装用時は、薬剤供給補助具１０が上眼瞼裏側の深部まで及ぶので、薬剤供給補助具１０の上部に装着された薬剤４０が溶け出すと、上眼瞼裏側の部位にその成分が供給される。
【００４１】
次に、本実施の形態の効果を説明する。
本実施の形態では、薬剤供給補助具１０は、薬剤４０の長さよりも短い間隔で２本のスリット１６ａ、１６ｂが縦方向に並行に形成され、スリット１６ａ、１６ｂを通じて、スリット１６ａを挟んでスリット１６ｂとは反対側の面（前面）と、スリット１６ａ、１６ｂの間の面（後面）と、スリット１６ｂを挟んでスリット１６ａとは反対側の面（前面）との間で薬剤４０が挟持可能となっている。
【００４２】
これにより、スリット１６ａ、１６ｂを通じて面の間で薬剤４０が挟持されるので、薬剤４０と薬剤供給補助具１０との組み合わせを選択又は変更等することができる。例えば、薬剤４０を使い切った場合は、薬剤供給補助具１０に新たな薬剤４０を装着することができる。また例えば、他の薬剤４０を用いたい場合は、薬剤供給補助具１０ごと交換し、新たな薬剤供給補助具１０に他の薬剤４０を装着することができる。したがって、従来の一体成形のものに比して、薬剤４０の使い切りや変更等への対応が容易となる。
【００４３】
さらに、薬剤４０がスリット１６ａを介して前面から後面に通じ、スリット１６ｂを介して後面から再び前面に通じるので、薬剤４０の突部等が眼２０に干渉する可能性又は度合いを低減することができる。眼２０への干渉としては、例えば、眼２０に障害を与えること、異物感を増加させることが考えられる。また、少なくとも３つの面で薬剤４０が挟持されるので、薬剤４０が薬剤供給補助具１０から脱落しにくい。
【００４４】
さらに、本実施の形態では、薬剤供給補助具１０は、装着時に眼瞼裏側の深部にまで及ぶ領域を有する。
【００４５】
これにより、眼瞼裏側の部位に薬剤４０の成分を供給することができる。
本実施の形態において、薬剤供給補助具１０は、発明１、２又は７の眼用装着物に対応し、薬剤４０は、発明１、２又は７の被挟持物に対応し、スリット１６ａは、発明２の第１スリットに対応し、スリット１６ｂは、発明２の第２スリットに対応している。
【００４６】
〔変形例〕
なお、上記実施の形態の変形例として、次の構成を単独又は組み合わせて採用することができる。
【００４７】
〔対スリット２点挟持構造〕
図３は、薬剤供給補助具１０の正面図であり、（ａ）は薬剤４０の装着前の正面図、（ｂ）は薬剤４０の装着時の正面図である。
【００４８】
薬剤供給補助具１０の左下部には、図３に示すように、２本のスリット１６ａ、１６ｂが縦方向に並行に形成されている。スリット１６ａ、１６ｂは、薬剤供給補助具１０の面を前後に貫通し、薬剤４０の長さよりも短い間隔で且つ薬剤４０を通過可能な長さに形成されている。
【００４９】
また、薬剤供給補助具１０の右下部には、２本のスリット１６ｃ、１６ｄが縦方向に並行に形成されている。スリット１６ｃ、１６ｄは、薬剤供給補助具１０の面を前後に貫通し、薬剤４０の長さよりも短い間隔で且つ薬剤４０を通過可能な長さに形成されている。また、左端のスリット１６ａと右端のスリット１６ｄの間隔は、薬剤４０の長さよりも短い間隔となっている。
【００５０】
使用者は、棒状の薬剤４０をスリット１６ａ〜１６ｄに通すと、スリット１６ａを挟んでスリット１６ｂとは反対側の面（前面）と、スリット１６ａ、１６ｂの間の面（後面）と、スリット１６ｂを挟んでスリット１６ａとは反対側の面（前面）との間、及び、スリット１６ｃを挟んでスリット１６ｄとは反対側の面（前面）と、スリット１６ｃ、１６ｄの間の面（後面）と、スリット１６ｄを挟んでスリット１６ｃとは反対側の面（前面）との間で薬剤４０が挟持されて装着される。
【００５１】
これにより、薬剤４０が２つの箇所で挟持されるので、薬剤４０が薬剤供給補助具１０から脱落しにくい。
【００５２】
〔対スリット４点挟持構造〕
図４は、正面からみた薬剤供給補助具１０の斜視図であり、（ａ）は分解斜視図、（ｂ）はレンズ３０の装着時の斜視図である。
【００５３】
薬剤供給補助具１０の中央には、図４に示すように、角膜領域（装着時に角膜２４に位置する領域）を開口する貫通孔１２が形成されている。貫通孔１２の径は、角膜よりも大径（１．２倍程度）となっている。
【００５４】
レンズ３０は、貫通孔１２を覆う円板状となっている。レンズ３０の上部、右部、下部及び左部にはそれぞれ突起３２ａ〜３２ｄが形成されている。
【００５５】
薬剤供給補助具１０の上部には、２本のスリット１６ａ、１６ｂが横方向に並行に形成されている。スリット１６ａ、１６ｂは、薬剤供給補助具１０の面を前後に貫通し、レンズ３０の突起３２ａの長さよりも短い間隔で且つレンズ３０の突起３２ａを通過可能な長さに形成されている。
【００５６】
薬剤供給補助具１０の右部には、２本のスリット１６ｃ、１６ｄが縦方向に並行に形成されている。スリット１６ｃ、１６ｄは、薬剤供給補助具１０の面を前後に貫通し、レンズ３０の突起３２ｂの長さよりも短い間隔で且つレンズ３０の突起３２ｂを通過可能な長さに形成されている。
【００５７】
薬剤供給補助具１０の下部には、２本のスリット１６ｅ、１６ｆが横方向に並行に形成されている。スリット１６ｅ、１６ｆは、薬剤供給補助具１０の面を前後に貫通し、レンズ３０の突起３２ｃの長さよりも短い間隔で且つレンズ３０の突起３２ｃを通過可能な長さに形成されている。
【００５８】
薬剤供給補助具１０の左部には、図示しないが同様に、２本のスリット（説明の便宜上、これらスリットを「スリット１６ｇ、１６ｈ」と表記する。）が縦方向に並行に形成されている。スリット１６ｇ、１６ｈは、薬剤供給補助具１０の面を前後に貫通し、レンズ３０の突起３２ｄの長さよりも短い間隔で且つレンズ３０の突起３２ｄを通過可能な長さに形成されている。
【００５９】
使用者は、レンズ３０をスリット１６ａ〜１６ｈに通すと、スリット１６ａ、１６ｂの間の面等との間で突起３２ａが、スリット１６ｃ、１６ｄの間の面等との間で突起３２ｂが、スリット１６ｅ、１６ｆの間の面等との間で突起３２ｃが、スリット１６ｇ、１６ｈの間の面等との間で突起３２ｄがそれぞれ挟持されてレンズ３０が装着される。装用時は、レンズ３０により使用者の眼光学系に光学特性を与える。
【００６０】
これにより、レンズ３０が４つの箇所で挟持されるので、レンズ３０が薬剤供給補助具１０から脱落しにくい。
【００６１】
〔対スリット複数装着構造〕
図５は、薬剤供給補助具１０の正面図であり、（ａ）は薬剤４０の装着前の正面図、（ｂ）は薬剤４０の装着時の正面図である。
【００６２】
薬剤供給補助具１０の上部には、図５に示すように、２本のスリット１６ａ、１６ｂが縦方向に並行に形成されている。スリット１６ａ、１６ｂは、薬剤供給補助具１０の面を前後に貫通し、薬剤４０の長さよりも短い間隔で且つ薬剤４０を通過可能な長さに形成されている。
【００６３】
また、薬剤供給補助具１０の右下部には、２本のスリット１６ｃ、１６ｄが右下方向に並行に形成されている。スリット１６ｃ、１６ｄは、薬剤供給補助具１０の面を前後に貫通し、薬剤４０の長さよりも短い間隔で且つ薬剤４０を通過可能な長さに形成されている。
【００６４】
また、薬剤供給補助具１０の左下部には、２本のスリット１６ｅ、１６ｆが左下方向に並行に形成されている。スリット１６ｅ、１６ｆは、薬剤供給補助具１０の面を前後に貫通し、薬剤４０の長さよりも短い間隔で且つ薬剤４０を通過可能な長さに形成されている。
【００６５】
使用者は、まず、棒状の薬剤４０をスリット１６ａ、１６ｂに通すと、スリット１６ａ、１６ｂの間の面等との間で薬剤４０が挟持されて装着される。同様に、棒状の薬剤４０をスリット１６ｃ、１６ｄに通すと、スリット１６ｃ、１６ｄの間の面等との間で薬剤４０が挟持されて装着される。また、棒状の薬剤４０をスリット１６ｅ、１６ｆに通すと、スリット１６ｅ、１６ｆの間の面等との間で薬剤４０が挟持されて装着される。
【００６６】
これにより、対のスリットのそれぞれを通じて３つの薬剤４０を挟持することができる。
【００６７】
〔アダプタ装着構造〕
図６は、正面からみた薬剤供給補助具１０の斜視図であり、（ａ）は分解斜視図、（ｂ）は眼用アダプタ５０の装着時の斜視図である。
【００６８】
薬剤供給補助具１０の中央には、図６に示すように、角膜領域を開口する貫通孔１２が形成されている。貫通孔１２の径は、角膜よりも大径（１．２倍程度）となっている。
【００６９】
眼用アダプタ５０は、透光性の部材からなり、貫通孔１２を覆う円板状となっている。眼用アダプタ５０の上部、右部、下部及び左部にはそれぞれ突起５２ａ〜５２ｄが形成されている。眼用アダプタ５０の前面には、レンズ３０の後部を嵌合する凹部５４が形成されている。
【００７０】
薬剤供給補助具１０の上部には、２本のスリット１６ａ、１６ｂが横方向に並行に形成されている。スリット１６ａ、１６ｂは、薬剤供給補助具１０の面を前後に貫通し、眼用アダプタ５０の突起５２ａの長さよりも短い間隔で且つ眼用アダプタ５０の突起５２ａを通過可能な長さに形成されている。
【００７１】
薬剤供給補助具１０の右部には、２本のスリット１６ｃ、１６ｄが縦方向に並行に形成されている。スリット１６ｃ、１６ｄは、薬剤供給補助具１０の面を前後に貫通し、眼用アダプタ５０の突起５２ｂの長さよりも短い間隔で且つ眼用アダプタ５０の突起５２ｂを通過可能な長さに形成されている。
【００７２】
薬剤供給補助具１０の下部には、２本のスリット１６ｅ、１６ｆが横方向に並行に形成されている。スリット１６ｅ、１６ｆは、薬剤供給補助具１０の面を前後に貫通し、眼用アダプタ５０の突起５２ｃの長さよりも短い間隔で且つ眼用アダプタ５０の突起５２ｃを通過可能な長さに形成されている。
【００７３】
薬剤供給補助具１０の左部には、図示しないが同様に、２本のスリット（説明の便宜上、これらスリットを「スリット１６ｇ、１６ｈ」と表記する。）が縦方向に並行に形成されている。スリット１６ｇ、１６ｈは、薬剤供給補助具１０の面を前後に貫通し、眼用アダプタ５０の突起５２ｄの長さよりも短い間隔で且つ眼用アダプタ５０の突起５２ｄを通過可能な長さに形成されている。
【００７４】
使用者は、レンズ３０を眼用アダプタ５０に取り付け、眼用アダプタ５０をスリット１６ａ〜１６ｈに通すと、スリット１６ａ、１６ｂの間の面等との間で突起５２ａが、スリット１６ｃ、１６ｄの間の面等との間で突起５２ｂが、スリット１６ｅ、１６ｆの間の面等との間で突起５２ｃが、スリット１６ｇ、１６ｈの間の面等との間で突起５２ｄがそれぞれ挟持されて眼用アダプタ５０が装着される。装用時は、レンズ３０により使用者の眼光学系に光学特性を与える。
【００７５】
これにより、眼用アダプタ５０が４つの箇所で挟持されるので、眼用アダプタ５０が薬剤供給補助具１０から脱落しにくい。
【００７６】
〔孔・スリットによる１点挟持構造〕
図７は、薬剤供給補助具１０の正面図であり、（ａ）はレンズ３０の装着前の正面図、（ｂ）はレンズ３０の装着時の正面図である。
【００７７】
薬剤供給補助具１０の中央には、図７に示すように、角膜領域を開口する貫通孔１２が形成されている。貫通孔１２の径は、角膜よりも大径（１．２倍程度）となっている。
【００７８】
貫通孔１２の下方には、スリット１６ａが横方向に形成されている。
レンズ３０は、貫通孔１２よりも大径で横長楕円形状となっており、下部に突起３２が形成されている。
【００７９】
使用者は、レンズ３０の突起３２をスリット１６ａに通すと、スリット１６ａ及び貫通孔１２の間の面（後面）と、スリット１６ａを挟んで貫通孔１２とは反対側の面（前面）との間で突起３２が挟持されてレンズ３０が装着される。
【００８０】
これにより、レンズ３０が貫通孔１２を介して前面から後面に通じ、スリット１６ａを介して後面から再び前面に通じるので、レンズ３０の突起３２が眼２０に干渉する可能性又は度合いを低減することができる。
【００８１】
〔孔・スリットによる２点挟持構造〕
図８は、正面からみた薬剤供給補助具１０の斜視図であり、（ａ）は分解斜視図、（ｂ）はレンズ３０の装着時の斜視図である。
【００８２】
薬剤供給補助具１０の中央には、図８に示すように、角膜領域を開口する貫通孔１２が形成されている。貫通孔１２の径は、角膜よりも大径（１．２倍程度）となっている。
【００８３】
貫通孔１２の左方及び右方にはスリット１６ａ、１６ｂがそれぞれ縦方向に形成されている。
【００８４】
レンズ３０は、貫通孔１２を覆う円板状となっている。レンズ３０の左部及び左部にはそれぞれ突起３２ａ、３２ｂが形成されている。
【００８５】
使用者は、レンズ３０の突起３２ａ、３２ｂをスリット１６ａ、１６ｂに通すと、スリット１６ａを挟んで貫通孔１２とは反対側の面（前面）と、スリット１６ａ及び貫通孔１２の間の面（後面）との間で突起３２ａが、スリット１６ｂを挟んで貫通孔１２とは反対側の面（前面）と、スリット１６ｂ及び貫通孔１２の間の面（後面）との間で突起３２ｂがそれぞれ挟持されてレンズ３０が装着される。
【００８６】
これにより、レンズ３０が２つの箇所で挟持されるので、レンズ３０が薬剤供給補助具１０から脱落しにくい。
【００８７】
また、上記実施の形態及びその変形例においては、スリットの形状等を例示したが、これに限らず、スリットは、任意の数、任意の方向、任意の大きさ、任意の形状で、任意の箇所に形成することができる。
【００８８】
また、上記実施の形態及びその変形例において、スリットは、薬剤供給補助具１０の面を貫通するものとして形成したが、これに限らず、薬剤供給補助具１０の面の厚さ方向途中まで達するものとして形成することができる。この場合、スリットは、任意の深さで形成することができる。
【００８９】
また、上記実施の形態及びその変形例においては、スリットの幅について特に説明しなかったが、スリットの幅は任意であり、例えば、伸長方向に一定であってもよいし、伸長方向に変化していてもよい。
【００９０】
また、上記実施の形態及びその変形例においては、薬剤供給補助具１０を眼球に直接装着したが、これに限らず、１又は複数の媒体（例えば、部材）を介して薬剤供給補助具１０を間接的に眼球に装着することもできる。
【００９１】
また、上記実施の形態及びその変形例において、薬剤供給補助具１０は、ソフトコンタクトレンズと同一の材質で構成したが、これに限らず、ハードコンタクトレンズと同一の材質その他の材質で構成することもできる。例えば、薬剤４０その他の眼用装着物として構成することができる。
【００９２】
また、上記実施の形態及びその変形例において、薬剤供給補助具１０は、平面形状を全体として円形状に形成したが、これに限らず、任意の形状を採用することができる。例えば、全体として縦長楕円形状に形成すれば、結膜の深部まで薬剤を供給しやすい。また、全体として横長楕円形状に形成すれば、結膜炎等の症状時に眼瞼結膜への干渉が生じる可能性又は度合いを低減することができる。このほか、薬剤供給補助具１０の全体の大きさについても任意の大きさを採用することができる。
【００９３】
また、上記実施の形態の変形例（図４、図６、図７及び図８）において、貫通孔１２は、角膜領域を開口する孔として形成したが、これに限らず、任意の数、任意の大きさ、任意の形状で、任意の箇所に形成することができる。例えば、貫通孔１２は、少なくとも瞳孔領域（装着時に瞳孔２２に位置する領域）を開口する孔として形成することもできるし、薬剤供給補助具１０の面方向に開口させることもできる。また、眼球の動き量は上下方向よりも左右方向の方が大きいので、角膜２４への干渉が生じる可能性又は度合いを低減する観点からは、貫通孔１２の幅（横方向の長さ）は貫通孔１２の高さ（縦方向の長さ）よりも大きくする構成を採用することができる。同様の観点から、眼球の上下方向の動き量は下方向よりも上方向の方が大きいので、貫通孔１２において装着時に正面を向いた角膜２４の中心に位置する基準点から上端までの長さは、同基準点から下端までの長さよりも大きくする構成を採用することができる。この２点を考慮すると、貫通孔１２は、例えば、上部が膨張する横長楕円形状（幅が高さよりも大きく、基準点から上端までの長さが下端までの長さよりも大きい形状）とする構成を採用することができる。この場合、眼瞼や眼球の動き等により薬剤供給補助具１０が眼球の表面上で回転すると、角膜２４に対する貫通孔１２の相対位置が変化してしまうので、薬剤供給補助具１０が回転する可能性又は度合いを低減する観点からは、例えば、薬剤供給補助具１０の上縁が上眼瞼結膜円蓋部に、下縁が眼瞼結膜円蓋部に位置（接触又は近接）するように薬剤供給補助具１０の大きさを設定する構成を採用することができる。
【００９４】
また、上記実施の形態の変形例（図４、図６、図７及び図８）において、貫通孔１２は貫通孔として形成したが、これに限らず、凹部として形成することもできる。薬剤４０の成分が薬剤供給補助具１０を拡散等により透過する場合は、必ずしも貫通している必要はないからである。また、貫通孔１２そのものを設けなくてもよい。
【００９５】
また、上記実施の形態及びその変形例においては、薬剤供給補助具１０の材質について説明しなかったが、可溶性の材質で構成することができる。これにより、薬剤供給補助具１０を薬剤４０とともに溶解させることができる。この場合、薬剤供給補助具１０の材質として薬剤４０よりも溶解速度が遅い材質を採用することができる。
【００９６】
また、上記実施の形態の変形例においては、薬剤４０を、薬剤供給補助具１０に装着する眼用装着物として採用したが、これに限らず、眼に装着可能な眼用装着物であれば任意の眼用装着物を採用することができる。眼用装着物としては、例えば、（１）電子デバイス、（２）ソフトコンタクトレンズ、ハードコンタクトレンズその他のレンズ、光ファイバー、光導波路、光アイソレータ、半導体レーザ等の光学デバイス、（３）薬剤供給補助具、（４）矯正具、（５）薬剤、（６）サプリメント、（７）磁性流体、又は（８）その他の眼用装着物を採用することができる。ここで、眼用装着物が電子デバイスの場合、（１）眼に対し情報の提供を行うデバイス（例えば、投影機）、（２）眼に関する情報の収集を行うデバイス（例えば、カメラ、生体センサその他のセンサ）、（３）眼の外側に対し情報の提供を行うデバイス（例えば、ディスプレイ）、（４）眼の外側に関する情報の収集を行うデバイス（例えば、カメラ、生体センサその他のセンサ）、（５）眼に対し機能の維持、回復若しくは付与又は作用を行うデバイス（例えば、医療機器、発光素子、圧電素子、振動素子、発熱素子）、又は（６）眼の外側に対し機能の付与又は作用を行うデバイス（例えば、医療機器、発光素子、圧電素子、振動素子、発熱素子）を採用することができる。また、電子デバイスに代えて光学デバイスその他の眼用デバイスを採用する場合も、同様に上記（１）〜（６）の機能を備えるデバイスを採用することができる。また、眼用装着物がハードコンタクトレンズの場合、ハードコンタクトレンズが眼球に直接接触しにくいので装用感を向上することができる。
【００９７】
また、上記実施の形態及びその変形例においては、薬剤供給補助具１０を眼用器具として採用したが、これに限らず、眼に装着可能な眼用器具であれば任意の眼用器具を採用することができる。眼用器具としては、例えば、（１）電子デバイス、（２）ソフトコンタクトレンズ、ハードコンタクトレンズその他のレンズ、光ファイバー、光導波路、光アイソレータ、半導体レーザ等の光学デバイス、（３）薬剤供給補助具、（４）矯正具、又は（５）その他の眼用器具を採用することができる。また、薬剤供給補助具１０としては、これら（１）〜（５）以外に、眼に装着可能な眼用装着物を採用することができる。眼用装着物としては、例えば、これら（１）〜（５）以外に、（６）薬剤、（７）サプリメント、（８）磁性流体、又は（９）その他の眼用装着物を採用することができる。
【００９８】
また、上記実施の形態及びその変形例においては、本発明に係る眼用器具を眼球の表面に装着したが、これに限らず、例えば、人工水晶体又はその機能を補完するものとして構成し、眼球内に装着することもできる。
【００９９】
また、上記実施の形態及びその変形例は相互に適用することができる。
また、上記実施の形態及びその変形例においては、薬剤供給補助具１０に本発明を適用したが、これに限らず、本発明の主旨を逸脱しない範囲で他の場合にも適用可能である。
【符号の説明】
【０１００】
１０…薬剤供給補助具、  １２…貫通孔、  １６ａ〜１６ｈ…スリット、  ２０…眼、  ２２…瞳孔、  ２４…角膜、  ３０…レンズ、  ３２、３２ａ〜３２ｄ、５２ａ〜５２ｄ…突起、  ４０…薬剤、  ５０…眼用アダプタ、  ５４…凹部
【図１】
2019204035.tif 000003
【図２】
2019204035.tif 000004
【図３】
2019204035.tif 000005
【図４】
2019204035.tif 000006
【図５】
2019204035.tif 000007
【図６】
2019204035.tif 000008
【図７】
2019204035.tif 000009
【図８】
2019204035.tif 000010